(57)【要約】【課題】駐車料金の決済を車両入場時にＩＣカードで行い、車両退場時は出口で停止することなくノンストップで退場する。【解決手段】車両入場時には車両ＩＤとカードＩＤとを取得し、前回の預かり金額をＩＣカード２０に返金するとともに今回の前払金額をＩＣカード２０から徴収し、車両ＩＤ，カードＩＤ，入場時刻，前払金額を登録しておき、車両退場時には車両ＩＤだけを取得して駐車料金を算出し、前記前払金額から前記駐車料金を差し引いた金額を預かり金額としてカードＩＤ対応に登録する。【選択図】      図１
2008152588.tif 000002
【特許請求の範囲】
【請求項１】
車両ＩＤが書き込まれた車載無線ＩＣタグと、カードＩＤ，残高を含むデータが書き込まれたＩＣカードと、駐車場入口に設置されたＩＣカードリーダライタと、入口用タグリーダと、出口用タグリーダと、駐車場管理サーバとを備えた駐車場料金決済システムであって、
前記ＩＣカードリーダライタは、車両入場時にかざされた前記ＩＣカードからカードＩＤと残高を読み出して前記駐車場管理サーバに送信する手段と、前記駐車場管理サーバから受信した返金または徴収のための取引履歴を前記ＩＣカードに書き込んで残高を更新する手段とを有し、
前記入口用タグリーダは、駐車場入口の通信範囲内に存在する前記車載無線ＩＣタグから車両ＩＤを読み出して前記駐車場管理サーバに送信する手段を有し、
前記出口用タグリーダは、駐車場出口の通信範囲内に存在する前記車載無線ＩＣタグから車両ＩＤを読み出して前記駐車場管理サーバに送信する手段を有し、
前記駐車場管理サーバは、前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、車両入場時に車両ＩＤ，カードＩＤ，入場時刻，前払金額を対応付けて登録する手段と、前記出口用タグリーダから退場車両の車両ＩＤを受信したときに前記入場時刻と現在時刻を基に駐車料金を算出する手段と、算出した駐車料金を前記前払金額から差し引いた分を次回の駐車場利用時までの預かり金額としてカードＩＤ対応に登録する手段とを有することを特徴とする駐車場料金決済システム。
【請求項２】
駐車場と契約している店舗の利用時に前記ＩＣカードに店舗利用履歴を書き込んでおき、前記ＩＣカードリーダライタは車両入場時にかざされた前記ＩＣカードから店舗利用履歴を読み出して前記駐車場管理サーバに送信する手段をさらに有し、前記駐車場管理サーバは、車両退場時に当日の年月日を各ユーザの駐車場最終利用日として登録，更新する手段と、車両入場時に前記ＩＣカードリーダライタから受信した店舗利用履歴に含まれる店舗利用日と該当ユーザの駐車場最終利用日とが一致し、かつ、店舗利用履歴に含まれる店舗コードや利用金額が予め登録された割引条件を満たす場合に、前記預かり金額と所定の割引金額とを加算した金額を前記取引履歴に含まれる返金額とする手段とをさらに有することを特徴とする請求項１記載の駐車場料金決済システム。
【請求項３】
車両ＩＤが書き込まれた車載無線ＩＣタグと、カードＩＤ，残高を含むデータが書き込まれたＩＣカードと、駐車場入口に設置されたＩＣカードリーダライタと、入口用タグリーダと、出口用タグリーダと、店舗端末と、駐車場管理サーバとを備えた駐車場料金決済システムであって、
前記ＩＣカードリーダライタは、車両入場時にかざされた前記ＩＣカードからカードＩＤと残高を読み出して前記駐車場管理サーバに送信する手段と、前記駐車場管理サーバから受信した返金または徴収のための取引履歴を前記ＩＣカードに書き込んで残高を更新する手段とを有し、
前記入口用タグリーダは、駐車場入口の通信範囲内に存在する前記車載無線ＩＣタグから車両ＩＤを読み出して前記駐車場管理サーバに送信する手段を有し、
前記出口用タグリーダは、駐車場出口の通信範囲内に存在する前記車載無線ＩＣタグから車両ＩＤを読み出して前記駐車場管理サーバに送信する手段を有し、
前記店舗端末は、駐車場利用ユーザの店舗利用時に店舗利用履歴をユーザのカードＩＤとともに前記駐車場管理サーバに送信する手段を有し、
前記駐車場管理サーバは、前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、車両入場時に車両ＩＤ，カードＩＤ，入場時刻，前払金額を対応付けて登録する手段と、前記店舗端末から受信した店舗利用履歴に含まれる店舗コードが割引対象店舗であった場合に受信した店舗利用履歴をカードＩＤ対応に登録する手段と、前記出口用タグリーダから退場車両の車両ＩＤを受信したときに前記入場時刻と現在時刻を基に駐車料金を算出する手段と、車両退場時に該当ユーザの店舗利用履歴に含まれる店舗利用日が当日で、かつ、利用金額が所定金額以上の割引条件に該当する店舗利用履歴があるかを照合する手段と、該当店舗利用履歴があった場合に所定の割引金額を前記前払金額に加算し前記駐車料金を差し引いた分を次回の駐車場利用時までの預かり金額としてカードＩＤ対応に登録する手段と、該当店舗利用履歴がなかった場合に前記前払金額から前記駐車料金を差し引いた分を次回の駐車場利用時までの預かり金額としてカードＩＤ対応に登録する手段とを有することを特徴とする駐車場料金決済システム。
【請求項４】
前記ＩＣカードリーダライタは、前記前払金額の徴収処理が終了したときにその旨を前記駐車場管理サーバに通知する手段をさらに有し、前記駐車場管理サーバは、前記前払金額の徴収が終了した旨の通知を受信したときに駐車場の入口に設置された入場用ゲートを開く手段をさらに有することを特徴とする請求項１，２または３記載の駐車場料金決済システム。
【請求項５】
前記前払金額は駐車場入場時刻から駐車場営業終了時刻までの駐車料金、または、ユーザが予め前記駐車場管理サーバに登録した金額であることを特徴とする請求項１，２，３または４記載の駐車場料金決済システム。
【請求項６】
駐車場入口に設置されたＩＣカードリーダライタと、入口用タグリーダと、出口用タグリーダとに接続される駐車場管理サーバであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、前記ＩＣカードリーダライタから前払金額の徴収が終了した旨の通知を受信したときに駐車場の入口に設置された入場用ゲートを開く手段と、車両ＩＤ，カードＩＤ，入場時刻，前払金額を対応付けて登録する手段と、前記出口用タグリーダから退場車両の車両ＩＤを受信したときに前記入場時刻と現在時刻を基に駐車料金を算出する手段と、算出した駐車料金を前記前払金額から差し引いた分を次回の駐車場利用時までの預かり金額としてカードＩＤ対応に登録する手段とを有することを特徴とする駐車場管理サーバ。
【請求項７】
駐車場入口に設置されたＩＣカードリーダライタと、入口用タグリーダと、出口用タグリーダとに接続される駐車場管理サーバであって、
前記ＩＣカードリーダライタからカードＩＤ，残高と店舗利用履歴を受信し、かつ、前記入口用タグリーダから車両ＩＤを受信したときに、店舗利用履歴に含まれる店舗利用日と該当ユーザの駐車場最終利用日とが一致し、かつ、店舗利用履歴に含まれる店舗コードや利用金額が予め登録された割引条件に該当する店舗利用履歴があるかを照合する手段と、該当店舗利用履歴があった場合に、前回の駐車場利用時にカードＩＤ対応に登録された預かり金額に所定の割引金額を加算して返金するための取引履歴を生成し前記ＩＣカードリーダライタに送信する手段と、該当店舗利用履歴がなかった場合に、前記預かり金額を返金するための取引履歴を生成し前記ＩＣカードリーダライタに送信する手段と、今回の駐車場利用前払金額を徴収するための取引履歴を生成して前記ＩＣカードリーダライタに送信する手段と、前記ＩＣカードリーダライタから前払金額の徴収が終了した旨の通知を受信したときに駐車場の入口に設置された入場用ゲートを開く手段と、車両ＩＤ，カードＩＤ，入場時刻，前払金額を対応付けて登録する手段と、前記出口用タグリーダから退場車両の車両ＩＤを受信したときに前記入場時刻と現在時刻を基に駐車料金を算出する手段と、算出した駐車料金を前記前払金額から差し引いた分を次回の駐車場利用時までの預かり金額としてカードＩＤ対応に登録する手段と、車両退場時に当日の年月日を各ユーザの駐車場最終利用日として登録，更新する手段とを有することを特徴とする駐車場管理サーバ。
【請求項８】
駐車場入口に設置されたＩＣカードリーダライタと、入口用タグリーダと、出口用タグリーダと、店舗端末とに接続される駐車場管理サーバであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、前記ＩＣカードリーダライタから前払金額の徴収が終了した旨の通知を受信したときに駐車場の入口に設置された入場用ゲートを開く手段と、車両ＩＤ，カードＩＤ，入場時刻，前払金額を対応付けて登録する手段と、前記店舗端末から受信した店舗利用履歴に含まれる店舗コードが割引対象店舗であった場合に受信した店舗利用履歴をカードＩＤ対応に登録する手段と、前記出口用タグリーダから退場車両の車両ＩＤを受信したときに前記入場時刻と現在時刻を基に駐車料金を算出する手段と、車両退場時に該当ユーザの店舗利用履歴に含まれる店舗利用日が当日で、かつ、利用金額が所定金額以上の割引条件に該当する店舗利用履歴があるかを照合する手段と、該当店舗利用履歴があった場合に所定の割引金額を前記前払金額に加算し前記駐車料金を差し引いた分を次回の駐車場利用時までの預かり金額としてカードＩＤ対応に登録する手段と、該当店舗利用履歴がなかった場合に前記前払金額から前記駐車料金を差し引いた分を次回の駐車場利用時までの預かり金額としてカードＩＤ対応に登録する手段とを有することを特徴とする駐車場管理サーバ。
【請求項９】
車両入場時には車両ＩＤとカードＩＤとを取得し、前回の預かり金額をＩＣカードに返金するとともに今回の前払金額を前記ＩＣカードから徴収し、車両ＩＤ，カードＩＤ，入場時刻，前払金額を登録しておき、車両退場時には車両ＩＤだけを取得して駐車料金を算出し、前記前払金額から前記駐車料金を差し引いた金額を預かり金額としてカードＩＤ対応に登録することを特徴とする駐車場料金決済方法。
【請求項１０】
車両入場時に店舗利用履歴を前記ＩＣカードからさらに取得し、前記店舗利用履歴が予め登録された割引条件を満たす場合は、所定の割引金額を前記預かり金額に加えて前記ＩＣカードに返金することを特徴とする請求項９記載の駐車場料金決済方法。
【請求項１１】
車両入場時には車両ＩＤとカードＩＤとを取得し、前回の預かり金額をＩＣカードに返金するとともに今回の前払金額を前記ＩＣカードから徴収し、車両ＩＤ，カードＩＤ，入場時刻，前払金額を登録しておき、駐車場ユーザの店舗利用時に店舗端末から店舗利用履歴を受信して登録しておき、車両退場時には車両ＩＤだけを取得して駐車料金を算出し、該当ユーザの前記店舗利用履歴が予め登録された割引条件を満たすかを照合し、満たす場合は所定の割引金額を前記前払金額に加算し前記駐車料金を差し引いた金額を預かり金額としてカードＩＤ対応に登録し、満たさない場合は前記前払金額から前記駐車料金を差し引いた金額を預かり金額としてカードＩＤ対応に登録することを特徴とする駐車場料金決済方法。
【請求項１２】
駐車場入口に設置されたＩＣカードリーダライタと、入口用タグリーダと、出口用タグリーダとに接続される駐車場管理サーバに適用されるプログラムであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する機能、今回の駐車場利用前払金額を徴収するための取引履歴を生成して前記ＩＣカードリーダライタに送信する機能、前記ＩＣカードリーダライタから前払金額の徴収が終了した旨の通知を受信したときに駐車場の入口に設置された入場用ゲートを開く機能、車両ＩＤ，カードＩＤ，入場時刻，前払金額を対応付けて登録する機能、前記出口用タグリーダから退場車両の車両ＩＤを受信したときに前記入場時刻と現在時刻を基に駐車料金を算出する機能、算出した駐車料金を前記前払金額から差し引いた分を次回の駐車場利用時までの預かり金額としてカードＩＤ対応に登録する機能、をコンピュータに実現させるためのプログラム。
【請求項１３】
駐車場入口に設置されたＩＣカードリーダライタと、入口用タグリーダと、出口用タグリーダとに接続される駐車場管理サーバに適用されるプログラムであって、
前記ＩＣカードリーダライタからカードＩＤ，残高と店舗利用履歴を受信し、かつ、前記入口用タグリーダから車両ＩＤを受信したときに、店舗利用履歴に含まれる店舗利用日と該当ユーザの駐車場最終利用日とが一致し、かつ、店舗利用履歴に含まれる店舗コードや利用金額が予め登録された割引条件に該当する店舗利用履歴があるかを照合する機能、該当店舗利用履歴があった場合に、前回の駐車場利用時にカードＩＤ対応に登録された預かり金額に所定の割引金額を加算して返金するための取引履歴を生成し前記ＩＣカードリーダライタに送信する機能、該当店舗利用履歴がなかった場合に、前記預かり金額を返金するための取引履歴を生成し前記ＩＣカードリーダライタに送信する機能、今回の駐車場利用前払金額を徴収するための取引履歴を生成して前記ＩＣカードリーダライタに送信する機能、前記ＩＣカードリーダライタから前払金額の徴収が終了した旨の通知を受信したときに駐車場の入口に設置された入場用ゲートを開く機能、車両ＩＤ，カードＩＤ，入場時刻，前払金額を対応付けて登録する機能、前記出口用タグリーダから退場車両の車両ＩＤを受信したときに前記入場時刻と現在時刻を基に駐車料金を算出する機能、算出した駐車料金を前記前払金額から差し引いた分を次回の駐車場利用時までの預かり金額としてカードＩＤ対応に登録する機能、車両退場時に当日の年月日を各ユーザの駐車場最終利用日として登録，更新する機能、をコンピュータに実現させるためのプログラム。
【請求項１４】
駐車場入口に設置されたＩＣカードリーダライタと、入口用タグリーダと、出口用タグリーダと、店舗端末とに接続される駐車場管理サーバに適用されるプログラムであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する機能、今回の駐車場利用前払金額を徴収するための取引履歴を生成して前記ＩＣカードリーダライタに送信する機能、前記ＩＣカードリーダライタから前払金額の徴収が終了した旨の通知を受信したときに駐車場の入口に設置された入場用ゲートを開く機能、車両ＩＤ，カードＩＤ，入場時刻，前払金額を対応付けて登録する機能、前記店舗端末から受信した店舗利用履歴に含まれる店舗コードが割引対象店舗であった場合に受信した店舗利用履歴をカードＩＤ対応に登録する機能、前記出口用タグリーダから退場車両の車両ＩＤを受信したときに前記入場時刻と現在時刻を基に駐車料金を算出する機能、車両退場時に該当ユーザの店舗利用履歴に含まれる店舗利用日が当日で、かつ、利用金額が所定金額以上の割引条件に該当する店舗利用履歴があるかを照合する機能、該当店舗利用履歴があった場合に所定の割引金額を前記前払金額に加算し前記駐車料金を差し引いた分を次回の駐車場利用時までの預かり金額としてカードＩＤ対応に登録する機能、該当店舗利用履歴がなかった場合に前記前払金額から前記駐車料金を差し引いた分を次回の駐車場利用時までの預かり金額としてカードＩＤ対応に登録する機能、をコンピュータに実現させるためのプログラム。
【発明の詳細な説明】
【技術分野】
【０００１】
本発明は、ＩＣカード（電子マネー）により駐車場料金を決済する駐車場料金決済システム，駐車場管理サーバ，駐車場料金決済方法およびプログラムに関する。
【背景技術】
【０００２】
ＩＣカード（電子マネー）により駐車場料金の決済を行う例が、特開２００５−３０１４１７号公報（特許文献１）に開示されている。この特許文献１においては、
・駐車場の入口でユーザが入口用リーダライタにＩＣカードをかざしたときに、入口用リーダライタはＩＣカードからＩＤ，残高を読み出して入口端末制御装置に送信し、
・入口端末制御装置は入口用リーダライタに基本料金分の電子マネーを引き去るための取引履歴の書き込みを行わせ、
・駐車場の出口でユーザが出口用リーダライタにＩＣカードをかざしたときに、出口用リーダライタがＩＣカードからＩＤ，取引履歴を読み出して出口端末制御装置に送信し、
・出口端末制御装置は、取引履歴に含まれる入庫時刻と現在時刻から駐車時間を算出して駐車料金を演算し、駐車料金から基本料金分を差し引くとともに、ＩＣカードに当日の店舗利用履歴が記録されていたときには割引料金をさらに差し引いて精算料金を演算し、
・出口端末制御装置は出口用リーダライタに精算料金分の電子マネーを引き去るための取引履歴の書き込みを行わせる、
ことが記載されている。
【０００３】
【特許文献１】特開２００５−３０１４１７号公報（段落「００２８」〜「００３７」、図１）
【発明の開示】
【発明が解決しようとする課題】
【０００４】
上述した特許文献１においては、ＩＣカードによる駐車場料金決済のために、ユーザはＩＣカードを駐車場入口，出口の両方でリーダライタにかざさなければならない。このため、ユーザは駐車場の入口，出口の両方で車両を停止させなければならず、駐車場利用者が集中した場合等に混雑の原因となる。また、ユーザにとって、入口での車両停止はやむを得ないにしても、出口は車両を停止させることなくノンストップで走行できれば好適である。
【０００５】
本発明の目的は、以上の課題を解決する駐車場料金決済システム，駐車場管理サーバ，駐車場料金決済方法およびプログラムを提供することにある。
【課題を解決するための手段】
【０００６】
本発明の第１の駐車場料金決済システムは、車両ＩＤが書き込まれた車載無線ＩＣタグと、カードＩＤ，残高を含むデータが書き込まれたＩＣカードと、駐車場入口に設置されたＩＣカードリーダライタと、入口用タグリーダと、出口用タグリーダと、駐車場管理サーバとを備えた駐車場料金決済システムであって、
前記ＩＣカードリーダライタは、車両入場時にかざされた前記ＩＣカードからカードＩＤと残高を読み出して前記駐車場管理サーバに送信する手段と、前記駐車場管理サーバから受信した返金または徴収のための取引履歴を前記ＩＣカードに書き込んで残高を更新する手段とを有し、
前記入口用タグリーダは、駐車場入口の通信範囲内に存在する前記車載無線ＩＣタグから車両ＩＤを読み出して前記駐車場管理サーバに送信する手段を有し、
前記出口用タグリーダは、駐車場出口の通信範囲内に存在する前記車載無線ＩＣタグから車両ＩＤを読み出して前記駐車場管理サーバに送信する手段を有し、
前記駐車場管理サーバは、前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、車両入場時に車両ＩＤ，カードＩＤ，入場時刻，前払金額を対応付けて登録する手段と、前記出口用タグリーダから退場車両の車両ＩＤを受信したときに前記入場時刻と現在時刻を基に駐車料金を算出する手段と、算出した駐車料金を前記前払金額から差し引いた分を次回の駐車場利用時までの預かり金額としてカードＩＤ対応に登録する手段とを有する。
【０００７】
本発明の第２の駐車場料金決済システムは、本発明の第１の駐車場料金決済システムにおいて、駐車場と契約している店舗の利用時に前記ＩＣカードに店舗利用履歴を書き込んでおき、前記ＩＣカードリーダライタは車両入場時にかざされた前記ＩＣカードから店舗利用履歴を読み出して前記駐車場管理サーバに送信する手段をさらに有し、前記駐車場管理サーバは、車両退場時に当日の年月日を各ユーザの駐車場最終利用日として登録，更新する手段と、車両入場時に前記ＩＣカードリーダライタから受信した店舗利用履歴に含まれる店舗利用日と該当ユーザの駐車場最終利用日とが一致し、かつ、店舗利用履歴に含まれる店舗コードや利用金額が予め登録された割引条件を満たす場合に、前記預かり金額と所定の割引金額とを加算した金額を前記取引履歴に含まれる返金額とする手段とをさらに有する。
【０００８】
本発明の第３の駐車場料金決済システムは、車両ＩＤが書き込まれた車載無線ＩＣタグと、カードＩＤ，残高を含むデータが書き込まれたＩＣカードと、駐車場入口に設置されたＩＣカードリーダライタと、入口用タグリーダと、出口用タグリーダと、店舗端末と、駐車場管理サーバとを備えた駐車場料金決済システムであって、
前記ＩＣカードリーダライタは、車両入場時にかざされた前記ＩＣカードからカードＩＤと残高を読み出して前記駐車場管理サーバに送信する手段と、前記駐車場管理サーバから受信した返金または徴収のための取引履歴を前記ＩＣカードに書き込んで残高を更新する手段とを有し、
前記入口用タグリーダは、駐車場入口の通信範囲内に存在する前記車載無線ＩＣタグから車両ＩＤを読み出して前記駐車場管理サーバに送信する手段を有し、
前記出口用タグリーダは、駐車場出口の通信範囲内に存在する前記車載無線ＩＣタグから車両ＩＤを読み出して前記駐車場管理サーバに送信する手段を有し、
前記店舗端末は、駐車場利用ユーザの店舗利用時に店舗利用履歴をユーザのカードＩＤとともに前記駐車場管理サーバに送信する手段を有し、
前記駐車場管理サーバは、前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、車両入場時に車両ＩＤ，カードＩＤ，入場時刻，前払金額を対応付けて登録する手段と、前記店舗端末から受信した店舗利用履歴に含まれる店舗コードが割引対象店舗であった場合に受信した店舗利用履歴をカードＩＤ対応に登録する手段と、前記出口用タグリーダから退場車両の車両ＩＤを受信したときに前記入場時刻と現在時刻を基に駐車料金を算出する手段と、車両退場時に該当ユーザの店舗利用履歴に含まれる店舗利用日が当日で、かつ、利用金額が所定金額以上の割引条件に該当する店舗利用履歴があるかを照合する手段と、該当店舗利用履歴があった場合に所定の割引金額を前記前払金額に加算し前記駐車料金を差し引いた分を次回の駐車場利用時までの預かり金額としてカードＩＤ対応に登録する手段と、該当店舗利用履歴がなかった場合に前記前払金額から前記駐車料金を差し引いた分を次回の駐車場利用時までの預かり金額としてカードＩＤ対応に登録する手段とを有する。
【０００９】
本発明の第４の駐車場料金決済システムは、本発明の第１，第２または第３の駐車場料金決済システムにおいて、前記ＩＣカードリーダライタは、前記前払金額の徴収処理が終了したときにその旨を前記駐車場管理サーバに通知する手段をさらに有し、前記駐車場管理サーバは、前記前払金額の徴収が終了した旨の通知を受信したときに駐車場の入口に設置された入場用ゲートを開く手段をさらに有する。
【００１０】
本発明の第５の駐車場料金決済システムは、本発明の第１，第２，第３または第４の駐車場料金決済システムにおいて、前記前払金額は駐車場入場時刻から駐車場営業終了時刻までの駐車料金、または、ユーザが予め前記駐車場管理サーバに登録した金額であることを特徴とする。
【００１１】
本発明の第１の駐車場管理サーバは、駐車場入口に設置されたＩＣカードリーダライタと、入口用タグリーダと、出口用タグリーダとに接続される駐車場管理サーバであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、前記ＩＣカードリーダライタから前払金額の徴収が終了した旨の通知を受信したときに駐車場の入口に設置された入場用ゲートを開く手段と、車両ＩＤ，カードＩＤ，入場時刻，前払金額を対応付けて登録する手段と、前記出口用タグリーダから退場車両の車両ＩＤを受信したときに前記入場時刻と現在時刻を基に駐車料金を算出する手段と、算出した駐車料金を前記前払金額から差し引いた分を次回の駐車場利用時までの預かり金額としてカードＩＤ対応に登録する手段とを有する。
【００１２】
本発明の第２の駐車場管理サーバは、駐車場入口に設置されたＩＣカードリーダライタと、入口用タグリーダと、出口用タグリーダとに接続される駐車場管理サーバであって、
前記ＩＣカードリーダライタからカードＩＤ，残高と店舗利用履歴を受信し、かつ、前記入口用タグリーダから車両ＩＤを受信したときに、店舗利用履歴に含まれる店舗利用日と該当ユーザの駐車場最終利用日とが一致し、かつ、店舗利用履歴に含まれる店舗コードや利用金額が予め登録された割引条件に該当する店舗利用履歴があるかを照合する手段と、該当店舗利用履歴があった場合に、前回の駐車場利用時にカードＩＤ対応に登録された預かり金額に所定の割引金額を加算して返金するための取引履歴を生成し前記ＩＣカードリーダライタに送信する手段と、該当店舗利用履歴がなかった場合に、前記預かり金額を返金するための取引履歴を生成し前記ＩＣカードリーダライタに送信する手段と、今回の駐車場利用前払金額を徴収するための取引履歴を生成して前記ＩＣカードリーダライタに送信する手段と、前記ＩＣカードリーダライタから前払金額の徴収が終了した旨の通知を受信したときに駐車場の入口に設置された入場用ゲートを開く手段と、車両ＩＤ，カードＩＤ，入場時刻，前払金額を対応付けて登録する手段と、前記出口用タグリーダから退場車両の車両ＩＤを受信したときに前記入場時刻と現在時刻を基に駐車料金を算出する手段と、算出した駐車料金を前記前払金額から差し引いた分を次回の駐車場利用時までの預かり金額としてカードＩＤ対応に登録する手段と、車両退場時に当日の年月日を各ユーザの駐車場最終利用日として登録，更新する手段とを有する。
【００１３】
本発明の第３の駐車場管理サーバは、駐車場入口に設置されたＩＣカードリーダライタと、入口用タグリーダと、出口用タグリーダと、店舗端末とに接続される駐車場管理サーバであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する手段と、今回の駐車場利用前払金額を徴収するための取引履歴を生成して前記ＩＣカードリーダライタに送信する手段と、前記ＩＣカードリーダライタから前払金額の徴収が終了した旨の通知を受信したときに駐車場の入口に設置された入場用ゲートを開く手段と、車両ＩＤ，カードＩＤ，入場時刻，前払金額を対応付けて登録する手段と、前記店舗端末から受信した店舗利用履歴に含まれる店舗コードが割引対象店舗であった場合に受信した店舗利用履歴をカードＩＤ対応に登録する手段と、前記出口用タグリーダから退場車両の車両ＩＤを受信したときに前記入場時刻と現在時刻を基に駐車料金を算出する手段と、車両退場時に該当ユーザの店舗利用履歴に含まれる店舗利用日が当日で、かつ、利用金額が所定金額以上の割引条件に該当する店舗利用履歴があるかを照合する手段と、該当店舗利用履歴があった場合に所定の割引金額を前記前払金額に加算し前記駐車料金を差し引いた分を次回の駐車場利用時までの預かり金額としてカードＩＤ対応に登録する手段と、該当店舗利用履歴がなかった場合に前記前払金額から前記駐車料金を差し引いた分を次回の駐車場利用時までの預かり金額としてカードＩＤ対応に登録する手段とを有する。
【００１４】
本発明の第１の駐車場料金決済方法は、車両入場時には車両ＩＤとカードＩＤとを取得し、前回の預かり金額をＩＣカードに返金するとともに今回の前払金額を前記ＩＣカードから徴収し、車両ＩＤ，カードＩＤ，入場時刻，前払金額を登録しておき、車両退場時には車両ＩＤだけを取得して駐車料金を算出し、前記前払金額から前記駐車料金を差し引いた金額を預かり金額としてカードＩＤ対応に登録することを特徴とする。
【００１５】
本発明の第２の駐車場料金決済方法は、本発明の第１の駐車場料金決済方法において、車両入場時に店舗利用履歴を前記ＩＣカードからさらに取得し、前記店舗利用履歴が予め登録された割引条件を満たす場合は、所定の割引金額を前記預かり金額に加えて前記ＩＣカードに返金することを特徴とする。
【００１６】
本発明の第３の駐車場料金決済方法は、車両入場時には車両ＩＤとカードＩＤとを取得し、前回の預かり金額をＩＣカードに返金するとともに今回の前払金額を前記ＩＣカードから徴収し、車両ＩＤ，カードＩＤ，入場時刻，前払金額を登録しておき、駐車場ユーザの店舗利用時に店舗端末から店舗利用履歴を受信して登録しておき、車両退場時には車両ＩＤだけを取得して駐車料金を算出し、該当ユーザの前記店舗利用履歴が予め登録された割引条件を満たすかを照合し、満たす場合は所定の割引金額を前記前払金額に加算し前記駐車料金を差し引いた金額を預かり金額としてカードＩＤ対応に登録し、満たさない場合は前記前払金額から前記駐車料金を差し引いた金額を預かり金額としてカードＩＤ対応に登録することを特徴とする。
【００１７】
本発明の第１のプログラムは、駐車場入口に設置されたＩＣカードリーダライタと、入口用タグリーダと、出口用タグリーダとに接続される駐車場管理サーバに適用されるプログラムであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する機能、今回の駐車場利用前払金額を徴収するための取引履歴を生成して前記ＩＣカードリーダライタに送信する機能、前記ＩＣカードリーダライタから前払金額の徴収が終了した旨の通知を受信したときに駐車場の入口に設置された入場用ゲートを開く機能、車両ＩＤ，カードＩＤ，入場時刻，前払金額を対応付けて登録する機能、前記出口用タグリーダから退場車両の車両ＩＤを受信したときに前記入場時刻と現在時刻を基に駐車料金を算出する機能、算出した駐車料金を前記前払金額から差し引いた分を次回の駐車場利用時までの預かり金額としてカードＩＤ対応に登録する機能、をコンピュータに実現させる。
【００１８】
本発明の第２のプログラムは、駐車場入口に設置されたＩＣカードリーダライタと、入口用タグリーダと、出口用タグリーダとに接続される駐車場管理サーバに適用されるプログラムであって、
前記ＩＣカードリーダライタからカードＩＤ，残高と店舗利用履歴を受信し、かつ、前記入口用タグリーダから車両ＩＤを受信したときに、店舗利用履歴に含まれる店舗利用日と該当ユーザの駐車場最終利用日とが一致し、かつ、店舗利用履歴に含まれる店舗コードや利用金額が予め登録された割引条件に該当する店舗利用履歴があるかを照合する機能、該当店舗利用履歴があった場合に、前回の駐車場利用時にカードＩＤ対応に登録された預かり金額に所定の割引金額を加算して返金するための取引履歴を生成し前記ＩＣカードリーダライタに送信する機能、該当店舗利用履歴がなかった場合に、前記預かり金額を返金するための取引履歴を生成し前記ＩＣカードリーダライタに送信する機能、今回の駐車場利用前払金額を徴収するための取引履歴を生成して前記ＩＣカードリーダライタに送信する機能、前記ＩＣカードリーダライタから前払金額の徴収が終了した旨の通知を受信したときに駐車場の入口に設置された入場用ゲートを開く機能、車両ＩＤ，カードＩＤ，入場時刻，前払金額を対応付けて登録する機能、前記出口用タグリーダから退場車両の車両ＩＤを受信したときに前記入場時刻と現在時刻を基に駐車料金を算出する機能、算出した駐車料金を前記前払金額から差し引いた分を次回の駐車場利用時までの預かり金額としてカードＩＤ対応に登録する機能、車両退場時に当日の年月日を各ユーザの駐車場最終利用日として登録，更新する機能、をコンピュータに実現させる。
【００１９】
本発明の第３のプログラムは、駐車場入口に設置されたＩＣカードリーダライタと、入口用タグリーダと、出口用タグリーダと、店舗端末とに接続される駐車場管理サーバに適用されるプログラムであって、
前記ＩＣカードリーダライタからカードＩＤと残高を受信し、かつ、前記入口用タグリーダから車両ＩＤを受信したときに、前回の駐車場利用時にカードＩＤ対応に登録された預かり金額を返金するための取引履歴を生成して前記ＩＣカードリーダライタに送信する機能、今回の駐車場利用前払金額を徴収するための取引履歴を生成して前記ＩＣカードリーダライタに送信する機能、前記ＩＣカードリーダライタから前払金額の徴収が終了した旨の通知を受信したときに駐車場の入口に設置された入場用ゲートを開く機能、車両ＩＤ，カードＩＤ，入場時刻，前払金額を対応付けて登録する機能、前記店舗端末から受信した店舗利用履歴に含まれる店舗コードが割引対象店舗であった場合に受信した店舗利用履歴をカードＩＤ対応に登録する機能、前記出口用タグリーダから退場車両の車両ＩＤを受信したときに前記入場時刻と現在時刻を基に駐車料金を算出する機能、車両退場時に該当ユーザの店舗利用履歴に含まれる店舗利用日が当日で、かつ、利用金額が所定金額以上の割引条件に該当する店舗利用履歴があるかを照合する機能、該当店舗利用履歴があった場合に所定の割引金額を前記前払金額に加算し前記駐車料金を差し引いた分を次回の駐車場利用時までの預かり金額としてカードＩＤ対応に登録する機能、該当店舗利用履歴がなかった場合に前記前払金額から前記駐車料金を差し引いた分を次回の駐車場利用時までの預かり金額としてカードＩＤ対応に登録する機能、をコンピュータに実現させる。
【発明の効果】
【００２０】
本発明においては、駐車場入口においてＩＣカードから前払金額を引き落とし、車両ＩＤ，ＩＣカードＩＤ，入場時刻とともに登録している。一方、出口においては、車両ＩＤだけを無線通信で取得して駐車料金を算出し、前払金額から駐車料金を差し引いた分を預かり金として登録しておき、次回の駐車場利用時に入口でＩＣカードに返金するようにしている。このようにすることにより、駐車場出口でのＩＣカードの読み取り，書き込みが不要となり、出口をノンストップで出られることにより、駐車料金決済による出口での混雑を避けることができるという効果が得られる。また、駐車場出口のゲートが不要となるという効果も得られる。
【発明を実施するための最良の形態】
【００２１】
本発明の実施の形態について図面を参照して詳細に説明する。
【００２２】
図１は、本発明の一実施の形態の構成を示す図であり、車載無線ＩＣタグ１０と、ＩＣカード２０と、入口用タグリーダ３０と、出口用タグリーダ４０と、ＩＣカードリーダライタ５０と、入口ゲート開閉装置６０と、駐車場管理サーバ７０とを備えている。
【００２３】
車載無線ＩＣタグ１０は、アンテナコイル，ＩＣチップ等で構成されＲＦＩＤ(Radio Frequency Identification)タグであり、車両に取り付けられている。取り付ける場所は、例えば、フロントウィンドーの内側の端部等が考えられるが、これに限定されるものではない。この車載無線ＩＣタグ１０には予め車両ＩＤが書き込まれている。なお、車両ＩＤとは車両を識別するための識別情報であり、ナンバープレートの番号でもよいし、駐車場業者が付与した番号でもよい。ＩＣカード２０は、ＩＣチップ，メモリ，アンテナ等で構成された電子マネー機能付きＩＣカードであり、ＩＣカード２０を一意に判別可能なＩＣカードＩＤや残高が書き込まれているとともに、電子マネー決済時の取引履歴や店舗利用時の店舗利用履歴が書き込まれる。取引履歴とは、取引日時，取引金額，取引場所（駐車場コード等），取引後残高等の情報である。店舗利用履歴とは、利用日時，利用金額，店舗コード等の情報であり、店舗のリーダライタからＩＣカード２０に書き込まれる。入口用タグリーダ３０，出口用タグリーダ４０は、駐車場の入口に設置されているか出口に設置されているかの違いだけで、備えている機能は同じである。これら入口用タグリーダ３０，出口用タグリーダ４０は、通信範囲内に存在する車載無線ＩＣタグ１０から車両ＩＤを取得して駐車場管理サーバ７０に送信する機能を備えている。ＩＣカードリーダライタ５０は駐車場入口に設置され、非接触通信によりＩＣカード２０からデータを読み出して駐車場管理サーバ７０に送信する機能と、ＩＣカード２０にデータを書き込む機能と、書き込み終了通知を駐車場管理サーバ７０に送信する機能とを備えている。また、このＩＣカードリーダライタ５０は、駐車場管理サーバ７０から残高不足を通知されたときに、その旨表示するＬＣＤ(Liquid Crystal Display)等の表示部を備えている。入口ゲート開閉装置６０は、駐車場管理サーバ７０の指示により駐車場の入口ゲートの開閉を行う装置である。
【００２４】
駐車場管理サーバ７０は、駐車場に設置された入口用タグリーダ３０，出口用タグリーダ４０，ＩＣカードリーダライタ５０，入口ゲート開閉装置６０の制御や、駐車場料金の決済処理等を行うワークステーション・サーバ等の情報処理装置である。この駐車場管理サーバ７０は、制御部７１と、記憶部７２と、カレンダー情報や時刻情報を生成，出力する時計部７３とを備えている。
【００２５】
制御部７１はＣＰＵ(Central Processing Unit)等の制御装置であり、プログラムによ
り動作を制御される。この制御部７１は、
・車両入場時において、入口用タグリーダ３０からの車両ＩＤやＩＣカードリーダライタ５０からのＩＣカードＩＤ，残高，店舗利用履歴を受信したときに、該当ユーザ対応預かり金があるかを検索する機能と、
・店舗利用履歴が割引対象条件を満足しているかを確認し、満足していた場合に預かり金と割引金額を加算して返金金額を算出し、算出した返金金額の返金処理をＩＣカードリーダライタ５０に指示する機能と、
・車両入場時において、返金処理後に前払金額の引き落としをＩＣカードリーダライタ５０に指示する機能と、
・前払金額の引き落とし後に、入口ゲート開閉装置６０に入口ゲートを開くよう指示する機能と、
・前払金額の引き落とし後に、車両ＩＤ，ＩＣカードＩＤ，入場時刻，前払金額を対応付けて記憶部７２に登録する機能と、
・車両退場時において、出口用タグリーダ４０から車両ＩＤを受信したときに、駐車料金を算出する機能と、
・該当ユーザの前払金額から駐車料金を差し引いた預かり金額を算出し、ＩＣカードＩＤ対応に記憶部７２に登録する機能と、
を備えている。
【００２６】
記憶部７２は読み出し，書き込み可能な記憶装置であり、駐車料金データベース７２１と、駐車履歴データベース７２２と、預かり金データベース７２３と、割引対象店舗データベース７２４とを含んでいる。駐車料金データベース７２１には、図２（駐車料金データベース７２１に格納されるデータの一例を示す図）に示すように、駐車時間対応に駐車料金が予め登録されている。駐車履歴データベース７２２には、図３（駐車履歴データベース７２２に格納されるデータの一例を示す図）に示すように、車両ＩＤ，ＩＣカードＩＤ，入場時刻，前払金額，退場時刻，駐車時間，駐車料金等が対応付けられて登録される。預かり金データベース７２３には、図４（預かり金データベース７２３に格納されるデータの一例を示す図）に示すように、ＩＣカードＩＤ，預かり金額，駐車場最終利用日，店舗利用割引金額の返金状況等が対応付けられて登録される。割引対象店舗データベース７２４には、図５（割引対象店舗データベース７２４に格納されるデータの一例を示す図）に示すように、割引対象店舗コード一覧，割引対象利用金額，駐車料金割引金額等が予め登録されている。なお、割引対象店舗コード一覧とは、駐車場と契約している店舗（例えば、駐車場があるビルに入っている店舗等）の店舗コードの一覧を意味しており、これら店舗と駐車場業者は別途利用契約を行っている。割引対象利用金額とは、契約店舗における当日の購入代金や飲食代金がいくら以上であったときに駐車場料金を割り引くかを決定するための金額である。この金額は店舗毎に決めてもよいし、複数の店舗の合計利用金額で決めるようにしてもよい。駐車料金割引金額とは、駐車料金から割り引かれる金額であり、割引対象利用金額以上の利用金額であった場合に一律の金額としてもよいし、利用金額に応じて変更するようにしてもよい。
【００２７】
次に、本発明の一実施の形態の動作について説明する。最初に、駐車場入場時における動作について図１〜図６を参照して説明する。なお、図６は本発明の一実施の形態における駐車場入場時の動作を示すフローチャートである。
【００２８】
図６を参照すると、駐車場を利用するユーザは駐車場入口に設置されたＩＣカードリーダライタ５０にＩＣカード２０をかざす。ＩＣカードリーダライタ５０は非接触通信によりＩＣカード２０からＩＣカードＩＤ，残高，店舗利用履歴を読み出し、駐車場管理サーバ７０に送信する（ステップＡ１，Ａ２）。ＩＣカードリーダライタ５０からデータを受信した駐車場管理サーバ７０の制御部７１は、入口用タグリーダ３０に対して車載無線ＩＣタグ１０の読み取りを指示する（ステップＡ３）。入口用タグリーダ３０は、通信範囲に存在する車載無線ＩＣタグ１０から車両ＩＤを取得して駐車場管理サーバ７０に送信する。このとき、ユーザの車両は入口ゲート前で停車した状態であり、入口用タグリーダ３０は入口ゲートに並んでいる一番前の車両を通信範囲とするように設置されている（ステップＡ４）。
【００２９】
駐車場管理サーバ７０の制御部７１は、受信したＩＣカードＩＤ対応に登録されている駐車場最終利用日（前回の駐車場利用日）を預かり金データベース７２３から取得する（図４参照）（ステップＡ５）。そして、制御部７１は受信した店舗利用履歴の中に駐車場最終利用日と同じ日の利用履歴があるかを照合する。あった場合は、次に、制御部７１は割引対象店舗データベース７２４に登録された割引対象店舗に該当し、かつ、割引対象利用金額以上の利用がされているかを照合する（図５参照）（ステップＡ６）。ステップＡ６における照合の結果、割引対象店舗において割引対象利用金額以上の利用がされていた場合は、制御部７１は預かり金データベース７２３における店舗利用割引金額の返金状況を確認する（ステップＡ７）。返金済みが登録されていた場合はステップＡ１１に進む。返金済みが登録されていなかった場合は、制御部７１は駐車料金割引金額を割引対象店舗データベース７２４から取得する。そして、制御部７１は預かり金データベース７２３を参照し、受信したＩＣカードＩＤ対応の預かり金があるかを検索する（図４参照）（ステップＡ８）。ステップＡ８において、預かり金がなかった場合は、制御部７１は割引金額を返金するための取引履歴（返金金額，日時，返金後残高，駐車場コード等）を生成し、ＩＣカードリーダライタ５０に送信して返金処理を指示する（ステップＡ９）。ステップＡ８において、預かり金があった場合は、制御部７１はステップＡ６で取得した割引金額と預かり金を加算して返金額を算出する（ステップＡ１０）。
【００３０】
ステップＡ６における照合の結果、割引対象店舗での利用がなかった場合、または、割引対象店舗での利用はあったが割引対象利用金額以上の利用がされていなかった場合は割引対象外と判断する。そして、制御部７１は預かり金データベース７２３を参照し、受信したＩＣカードＩＤ対応の預かり金があるかを検索する（図４参照）（ステップＡ１１）。ステップＡ１１において、預かり金がなかった場合は、返金処理を行わずステップＡ１９に進む。ステップＡ１１において、預かり金があった場合は預かり金額を返金額としてステップＡ１３に進む（ステップＡ１２）。
【００３１】
ステップＡ１０またはステップＡ１２に続き、制御部７１は返金額がプラスの値かマイナスの値かを確認する。ここで、返金額がプラスというのは返金額をＩＣカード２０に返金することを意味し、マイナスの場合は返金額分をＩＣカード２０から徴収する（引き落とす）ことを意味している。マイナスになる原因は、返金額の殆ど（ステップＡ１０の場合）、または全て（ステップＡ１２の場合）を占める預かり金にある。後述するように、駐車場退場時における預かり金は、（預かり金＝前払い金−駐車料金）で算出するが、このとき、駐車料金が前払金を超えた場合である。ステップＡ１９で説明するように、前払金は駐車場営業時間終了時までの駐車料金を徴収するため通常はマイナスの値になることはないが、ユーザが駐車場営業時間終了後も車両を駐車したまま帰宅して翌日退場したような場合はマイナスの値となる（ステップＡ１３）。
【００３２】
ステップＡ１３において、返金額がプラスの値になった場合は返金であるため、制御部７１は返金額を返金するための取引履歴（返金金額，日時，返金後残高，駐車場コード等）を生成し、ＩＣカードリーダライタ５０に送信して返金処理を指示する（ステップＡ１４）。ステップＡ１３において、返金額がマイナスの値になった場合は徴収となるため、制御部７１は返金額を徴収するための取引履歴（徴収金額，日時，徴収後残高，駐車場コード等）を生成し、ＩＣカードリーダライタ５０に送信して徴収処理を指示する（ステップＡ１５）。ＩＣカードリーダライタ５０は、駐車場管理サーバ７０から受信した取引履歴をＩＣカード２０に書き込み、残高を更新する（ステップＡ１６）。ＩＣカード２０への書き込みが終了すると、ＩＣカードリーダライタ５０は書き込みが終了したことを駐車場管理サーバ７０に送信する（ステップＡ１７）。駐車場管理サーバ７０の制御部７１は書き込み終了を確認し、預かり金データベース７２３に登録されている該当ＩＣカードＩＤ対応の預かり金額をゼロに更新するとともに、店舗利用割引金額の返金状況欄に返金済みを登録する（図４参照）（ステップＡ１８）。
【００３３】
次に、制御部７１は前払金額を算出する。本発明は、駐車料金を十分に支払える前払金額を駐車場入場時にＩＣカード２０から徴収しておき、次回の駐車場入場時に今回の精算を行うようにしている。従って、前払金額は、例えば、駐車場入場時刻から駐車場営業終了時刻までを駐車時間と想定した駐車料金分としておけばよい。詳細には、制御部７１は現在時刻を時計部７３から取得し、所定の駐車場営業終了時刻までの時間を算出し、算出した時間対応の駐車料金を駐車料金データベース７２１から取得し、その駐車料金を前払金額とする（図２参照）（ステップＡ１９）。次に、制御部７１はＩＣカード２０の残高が前払金額以上あるかを確認する（ステップＡ２０）。ＩＣカード２０の残高が前払金額以上なかった場合は、制御部７１は残高不足であることを不足額とともにＩＣカードリーダライタ５０に通知し（ステップＡ２１）、ＩＣカードリーダライタ５０は図示しない表示部に表示する。この後、ユーザは駐車場等に設置された図示しない電子マネーチャージ機からＩＣカード２０に電子マネーをチャージし、再度ＩＣカードリーダライタ５０にかざしてステップＡ１から動作を開始することになる（ステップＡ２２）。ステップＡ２０において、残高が前払金額以上あった場合は、制御部７１は前払金額を徴収するための取引履歴（徴収前払金額，日時，徴収後残高，駐車場コード等）を生成し、ＩＣカードリーダライタ５０に送信して徴収処理を指示する（ステップＡ２３）。
【００３４】
ＩＣカードリーダライタ５０は、駐車場管理サーバ７０から受信した取引履歴をＩＣカード２０に書き込んで残高を更新し、書き込みが終了したことを駐車場管理サーバ７０に送信する（ステップＡ２４）。駐車場管理サーバ７０の制御部７１は書き込み終了を確認して、入口ゲート開閉装置６０に対して入口ゲートを開くよう指示する（ステップＡ２５）。入口ゲート開閉装置６０は駐車場管理サーバ７０からの指示により入口ゲートを開き、ユーザの車両が駐車場に入場する（ステップＡ２６）。この後、制御部７１は車両ＩＤ，ＩＣカードＩＤ，入場時刻，前払金額を対応付けて駐車履歴データベース７２２に登録する（図３参照）（ステップＡ２７）。
【００３５】
次に、駐車場退場時における動作について図１〜図４および図７を参照して説明する。なお、図７は本発明の一実施の形態における駐車場退場時の動作を示すフローチャートである。
【００３６】
図７を参照すると、ユーザの車両が駐車場を退場するために駐車場の出口に進み出口用タグリーダ４０の通信範囲内に入ると、出口用タグリーダ４０は車載無線ＩＣタグ１０から車両ＩＤを取得して駐車場管理サーバ７０に送信する（ステップＢ１，Ｂ２）。
【００３７】
駐車場管理サーバ７０の制御部７１は、受信した車両ＩＤに対応して登録されている入場時刻を駐車履歴データベース７２２から取得する（図３参照）（ステップＢ３）。次に、制御部７１は時計部７３から現在時刻（退場時刻）を取得し、（駐車時間＝現在時刻−入場時刻）により駐車時間を算出する。そして、制御部７１は算出した駐車時間分の駐車料金を駐車料金データベース７２１から取得する（図２参照）。その後、制御部７１は退場時刻，駐車時間，駐車料金を駐車履歴データベース７２２に車両ＩＤ対応に登録する（ステップＢ４）。次に、制御部７１は受信した車両ＩＤ対応に登録された前払金額を駐車履歴データベース７２２から取得し（図３参照）、（預かり金額＝前払金額−駐車料金）により預かり金額を算出する（ステップＢ５）。
【００３８】
そして、算出した預かり金額がプラスの値かマイナスの値かを制御部７１は確認する（ステップＢ６）。プラスの値であった場合はプラスの預かり金額（例えば、５００円）を、マイナスの値であった場合はマイナスの預かり金額（例えば、−３００円）を、制御部７１はＩＣカードＩＤに対応付けて預かり金データベース７２３に登録，更新する。なお、該当ユーザのＩＣカードＩＤについては、受信した車両ＩＤを基に駐車履歴データベース７２２から取得する（ステップＢ７，Ｂ８）。次に、制御部７１は駐車履歴データベース７２２に登録された該当車両ＩＤ対応の前払金額をゼロに更新する（ステップＢ９）。また、制御部７１は、預かり金データベース７２３において、時計部７３から取得した現在年月日を駐車場最終利用日として登録，更新するとともに、店舗利用割引金額の返金状況欄を未返金に登録，更新する（ステップＢ１０）。
【００３９】
以上説明したように、本実施の形態においては、駐車場入口においてＩＣカード２０から前払金額を引き落とし、車両ＩＤ，ＩＣカードＩＤ，入場時刻とともに登録している。一方、出口においては、車両ＩＤだけを無線通信で取得して駐車料金を算出し、前払金額から駐車料金を差し引いた分を預かり金として登録しておき、次回の駐車場利用時に入口でＩＣカード２０に返金するようにしている。このようにすることにより、駐車場出口でのＩＣカード２０の読み取り，書き込みが不要となり、出口をノンストップで出られることにより、駐車料金決済による出口での混雑を避けることができるという効果が得られる。また、駐車場出口のゲートが不要となるという効果も得られる。
【００４０】
次に、本発明の他の実施の形態について説明する。
【００４１】
上述した一実施の形態においては、ユーザが駐車場契約店舗において購入や飲食等を行った場合に店舗利用履歴を店舗のリーダライタからＩＣカード２０に書き込み、次回の駐車場利用時にＩＣカード２０から店舗利用履歴を読み出して割引可否を決定している。本実施の形態においては、店舗において店舗利用履歴をＩＣカード２０に書き込む代わりに、店舗利用履歴を駐車場管理サーバ７０に送信し、その日の駐車場退場時に割引可否を決定するようにした点が異なっている。
【００４２】
図８は本発明の他の実施の形態の構成を示す図であり、一実施の形態の構成（図１）に比べ店舗端末８０と店舗利用履歴データベース７２５が追加されている。店舗端末８０は駐車場と契約している店舗等に備えられたパーソナルコンピュータ等の情報処理装置であり、インターネット等のネットワーク１００を介して駐車場管理サーバ７０に接続される。店舗利用履歴データベース７２５には、図９（店舗利用履歴データベース７２５に格納されるデータの一例を示す図）に示すように、ＩＣカードＩＤ，店舗コード，利用金額，利用日時が登録される。また、図１０は本実施の形態における預かり金データベース７２３に格納されるデータの一例を示す図である。図１０においては、ＩＣカードＩＤ対応に預かり金額が登録され、一実施の形態の預かり金データベース７２３（図４）における駐車場最終利用日，店舗利用割引金額の返金状況欄は不要となる。
【００４３】
次に、本発明の他の実施の形態の動作について説明する。最初に、駐車場入場時における動作について図８，図１０および図１１を参照して説明する。なお、図１１は本発明の他の実施の形態における駐車場入場時の動作を示すフローチャートである。
【００４４】
図１１を参照すると、駐車場を利用するユーザは駐車場入口に設置されたＩＣカードリーダライタ５０にＩＣカード２０をかざす。ＩＣカードリーダライタ５０は非接触通信によりＩＣカード２０からＩＣカードＩＤと残高を読み出し、駐車場管理サーバ７０に送信する（ステップＣ１，Ｃ２）。ＩＣカードリーダライタ５０からデータを受信した駐車場管理サーバ７０の制御部７１は、入口用タグリーダ３０に対して車載無線ＩＣタグ１０の読み取りを指示する（ステップＣ３）。入口用タグリーダ３０は、通信範囲に存在する車載無線ＩＣタグ１０から車両ＩＤを取得して駐車場管理サーバ７０に送信する（ステップＣ４）。次に、制御部７１は預かり金データベース７２３を参照し、受信したＩＣカードＩＤに対応して登録されている預かり金があるかを確認する（図１０参照）。預かり金があった場合はステップＣ６に、預かり金がなかった場合はステップＣ１２に進む（ステップＣ５）。
【００４５】
以降のステップＣ６〜ステップＣ２０の動作については、図６（一実施の形態）のステップＡ１３〜ステップＡ２７と同じであるため、説明を省略する。只、ステップＡ１８における、店舗利用割引金額の返金状況欄に返金済みを登録する、という部分は、ステップＣ１１においては削除される。
【００４６】
次に、店舗端末８０から駐車場管理サーバ７０への店舗利用履歴送信時の動作について図５，図８，図９および図１２を参照して説明する。なお、図１２は本発明の他の実施の形態における店舗端末８０から駐車場管理サーバ７０への店舗利用履歴送信時の動作を示すフローチャートである。
【００４７】
図１２を参照すると、ユーザが店舗において購入や飲食を行ったときに、店員は図示しないリーダライタを用いてユーザのＩＣカード２０からＩＣカードＩＤを取得する（ステップＤ１）。そして、店員は店舗コード，利用金額，利用日時情報をＩＣカードＩＤとともに店舗端末８０から駐車場管理サーバ７０に送信する（ステップＤ２）。駐車場管理サーバ７０の制御部７１は、受信した店舗コードが割引対象店舗データベース７２４に登録されている店舗コードと一致するかを照合する（図５参照）（ステップＤ３）。一致しなかった場合は、割引対象店舗ではないため処理を終了する。一致した場合は、制御部７１は受信したデータを店舗利用履歴データベース７２５に登録する（図９参照）（ステップＤ４）。
【００４８】
次に、駐車場退場時の動作について図２，図３，図５，図８，図９，図１０および図１３を参照して説明する。なお、図１３は本発明の他の実施の形態における駐車場退場時の動作を示すフローチャートである。
【００４９】
図１３を参照すると、ユーザの車両が駐車場を退場するために駐車場の出口に進み出口用タグリーダ４０の通信範囲内に入ると、出口用タグリーダ４０は車載無線ＩＣタグ１０から車両ＩＤを取得して駐車場管理サーバ７０に送信する（ステップＥ１，Ｅ２）。駐車場管理サーバ７０の制御部７１は、受信した車両ＩＤに対応して登録されている入場時刻を駐車履歴データベース７２２から取得する（図３参照）（ステップＥ３）。次に、制御部７１は時計部７３から現在時刻（退場時刻）を取得し、（駐車時間＝現在時刻−入場時刻）により駐車時間を算出する。そして、制御部７１は算出した駐車時間分の駐車料金を駐車料金データベース７２１から取得する（図２参照）。その後、制御部７１は退場時刻，駐車時間，駐車料金を駐車履歴データベース７２２に車両ＩＤ対応に登録する（ステップＥ４）。
【００５０】
次に、制御部７１は受信した車両ＩＤ対応に登録されているＩＣカードＩＤを駐車履歴データベース７２２から取得し、店舗利用履歴データベース７２５からＩＣカードＩＤ対応に登録されている本日分の店舗利用金額を取得する（図９参照）（ステップＥ５）。そして、制御部７１は店舗利用金額が割引対象利用金額以上であるかを割引対象店舗データベース７２４を参照して確認する（図５参照）（ステップＥ６）。店舗利用金額が割引対象利用金額以上であった場合、制御部７１は割引対象店舗データベース７２４から割引金額を取得する（ステップＥ７）。
【００５１】
次に、制御部７１は受信した車両ＩＤ対応に登録された前払金額を駐車履歴データベース７２２から取得し、（預かり金額＝前払金額−駐車料金＋割引金額）により預かり金額を算出する（ステップＥ８）。そして、算出した預かり金額がプラスの値かマイナスの値かを制御部７１は確認する（ステップＥ９）。プラスの場合はプラスの預かり金額（例えば、６００円）を、マイナスの場合はマイナスの預かり金額（例えば、−２００円）を、制御部７１はＩＣカードＩＤに対応付けて預かり金データベース７２３に登録，更新する（図１０参照）（ステップＥ１０，Ｅ１１）。次に、制御部７１は駐車履歴データベース７２２に登録された該当車両ＩＤ対応の前払金額をゼロに更新する（ステップＥ１２）。
【００５２】
以上説明したように、本実施の形態においては、店舗利用履歴を店舗端末８０から駐車場管理サーバ７０に送信して蓄積するようにしている。このため、ユーザにとっては店舗利用時にＩＣカード２０に店舗利用履歴を書き込んでもらうという手間が省ける効果が得られる。
【００５３】
次に、本発明の応用例，変形例等について説明する。
【００５４】
・上述した一実施の形態または他の実施の形態においては、入口用タグリーダ３０，出口用タグリーダ４０が車載無線ＩＣタグ１０から車両ＩＤを取得して駐車場管理サーバ７０に送信するとして説明した。これに対し、ＤＳＲＣ(Dedicated Short Range Communication)通信方式を用いて路側機（駐車場入口，出口に設置された無線装置）と車載器（車
両に搭載された無線装置）の間で無線通信を行い、路側機が車載器から車両ＩＤを取得，送信するように構成してもよい。また、無線ＬＡＮ(Local Area Network)を用いてＬＡＮアクセスポイント（駐車場入口，出口に設置）が車載無線機から車両ＩＤを取得，送信するように構成してもよい。
【００５５】
・上述した一実施の形態または他の実施の形態においては、前払金額は駐車場入場時刻から営業終了時刻までの駐車料金であるとして説明したが、予めユーザが駐車場管理サーバ７０に登録しておいた金額としてもよい。
【００５６】
・上述した一実施の形態または他の実施の形態においては、入場時においてＩＣカード２０への返金と前払金額徴収を二回に分けて行っているが、返金額と前払金額の合計を算出し一回で行うようにしてもよい。
【００５７】
・上述した一実施の形態または他の実施の形態においては、駐車場管理サーバ７０が入口用タグリーダ３０，出口用タグリーダ４０，ＩＣカードリーダライタ５０，入口ゲート開閉装置６０等の駐車場装置を直接制御するとして説明した。これに対し、入口，出口に入口制御装置，出口制御装置を新たに備え、駐車場管理サーバ７０に代わって入口制御装置，出口制御装置が駐車場装置を制御し、制御結果を駐車場管理サーバ７０に送信するようにしてもよい。
【００５８】
・上述した一実施の形態または他の実施の形態においては、預かり金は次回の駐車場入場時のＩＣカード読み取り時に返金されるとして説明したが、駐車場内等に設置された図示しない精算用ＩＣカードリーダライタで返金を受けることも可能である。この場合は、精算用ＩＣカードリーダライタがＩＣカード２０からＩＣカードＩＤを読み取って駐車場管理サーバ７０に送信し、駐車場管理サーバ７０が預かり金額を精算用ＩＣカードリーダライタに通知することによりＩＣカード２０への返金が行われることになる。
【００５９】
・上述した一実施の形態または他の実施の形態においては、ＩＣカード２０は非接触型のＩＣカードとして説明したが、接触型のＩＣカードであってもよいし、携帯電話機等の携帯端末に内蔵されたＩＣカードであってもよい。
【００６０】
・上述した一実施の形態または他の実施の形態においては、入口用タグリーダ３０はＩＣカード２０からＩＣカードＩＤが読み取られた後に、駐車場管理サーバ７０から指示されて車両ＩＤを取得，送信するとして説明した。これに対し、入口用タグリーダ３０はＩＣカードＩＤ取得に関係なく通信範囲に車載無線ＩＣタグ１０が存在した場合に車両ＩＤを取得，送信するようにしてもよい。
【図面の簡単な説明】
【００６１】
【図１】本発明の一実施の形態の構成を示す図である。
【図２】駐車料金データベース７２１に格納されるデータの一例を示す図である。
【図３】駐車履歴データベース７２２に格納されるデータの一例を示す図である。
【図４】預かり金データベース７２３に格納されるデータの一例を示す図である。
【図５】割引対象店舗データベース７２４に格納されるデータの一例を示す図である。
【図６】本発明の一実施の形態における駐車場入場時の動作を示すフローチャートである。
【図７】本発明の一実施の形態における駐車場退場時の動作を示すフローチャートである。
【図８】本発明の他の実施の形態の構成を示す図である。
【図９】本発明の他の実施の形態における店舗利用履歴データベース７２５に格納されるデータの一例を示す図である。
【図１０】本発明の他の実施の形態における預かり金データベース７２３に格納されるデータの一例を示す図である。
【図１１】本発明の他の実施の形態における駐車場入場時の動作を示すフローチャートである。
【図１２】本発明の他の実施の形態における店舗端末８０から駐車場管理サーバ７０への店舗利用履歴送信時の動作を示すフローチャートである。
【図１３】本発明の他の実施の形態における駐車場退場時の動作を示すフローチャートである。
【符号の説明】
【００６２】
１０    車載無線ＩＣタグ
２０    ＩＣカード
３０    入口用タグリーダ
４０    出口用タグリーダ
５０    ＩＣカードリーダライタ
６０    入口ゲート開閉装置
７０    駐車場管理サーバ
７１    制御部
７２    記憶部
７２１    駐車料金データベース
７２２    駐車履歴データベース
７２３    預かり金データベース
７２４    割引対象店舗データベース
７２５    店舗利用履歴データベース
７３    時計部
８０    店舗端末
【図１】
2008152588.tif 000003
【図２】
2008152588.tif 000004
【図３】
2008152588.tif 000005
【図４】
2008152588.tif 000006
【図５】
2008152588.tif 000007
【図６】
2008152588.tif 000008
【図７】
2008152588.tif 000009
【図８】
2008152588.tif 000010
【図９】
2008152588.tif 000011
【図１０】
2008152588.tif 000012
【図１１】
2008152588.tif 000013
【図１２】
2008152588.tif 000014
【図１３】
2008152588.tif 000015